(57)【特許請求の範囲】
【請求項１】
紙葉類を投入口から投入し前記投入口に続く案内路を経て回転するカッターに送り細断する紙葉細断装置において、
前記投入口側から前記カッター側へ紙葉類が通過可能な開口幅である前記案内路の送り方向開口幅が、前記カッター側から前記投入口側へ紙葉類が通過可能な開口幅である前記案内路の戻り方向開口幅より狭くなるように、前記案内路の開口幅を紙葉類の移動方向に応じて切り換える開口幅切り換え手段を備え、
前記開口幅切り換え手段は、
前記案内路へ先端部が出入可能なゲート体を有し、
前記ゲート体は、
前記カッター側から前記投入口側へ作用する戻し力を受けないときに前記案内路の開口幅が前記送り方向開口幅となるように静止位置にあり、前記戻し力を受けるときに前記案内路の開口幅が前記戻り方向開口幅となるように移動可能であり、前記投入口側から前記カッター側へ作用する送り力を受けても前記静止位置にあるとともに前記先端部へ前記案内路の方向に垂直に垂直抗力が作用しても前記静止位置にあり、
前記ゲート体は、前記戻し力を受けるときに前記案内路の開口幅が前記戻り方向開口幅となるように旋回軸の回りに旋回可能であり、
前記ゲート体は断面がボート状の外形を有し、前記先端部の断面は三角形の斜辺を形成しており、前記先端部の下側斜辺部は前記戻し力を受けることが可能であり上側斜辺部は前記送り力を受けることが可能であり、
前記ゲート体に腕部が設けられ、前記ゲート体が前記案内路へ進退するように形成された開口部の上端部に止め部が形成されており、
前記ゲート体は、前記カッター側から前記投入口側へ作用する戻し力を受けないときに前記案内路の開口幅が前記送り方向開口幅となるように、前記腕部が前記止め部に当接するとともに前記下側斜辺部が前記開口部の下端部に当接して、前記静止位置にあり、
前記先端部へ作用する前記垂直抗力が前記ゲート体を旋回させる回転モーメントを生じさせても前記ゲート体を前記旋回軸の回りに旋回させないように前記腕部が前記止め部に当接し、
前記ゲート体が前記投入口側から前記カッター側へ作用する送り力を受けても前記静止位置にあるように、前記ゲート体の前記腕部が前記止め部に当接する
ことを特徴とする紙葉細断装置。
【請求項２】
紙葉類を投入口から投入し前記投入口に続く案内路を経て回転するカッターに送り細断する紙葉細断装置において、
前記投入口側から前記カッター側へ紙葉類が通過可能な開口幅である前記案内路の送り方向開口幅が、前記カッター側から前記投入口側へ紙葉類が通過可能な開口幅である前記案内路の戻り方向開口幅より狭くなるように、前記案内路の開口幅を紙葉類の移動方向に応じて切り換える開口幅切り換え手段を備え、
前記開口幅切り換え手段は、
前記案内路へ先端部が出入可能なゲート体を有し、
前記ゲート体は、
前記カッター側から前記投入口側へ作用する戻し力を受けないときに前記案内路の開口幅が前記送り方向開口幅となるように静止位置にあり、前記戻し力を受けるときに前記案内路の開口幅が前記戻り方向開口幅となるように移動可能であり、前記投入口側から前記カッター側へ作用する送り力を受けても前記静止位置にあるとともに前記先端部へ前記案内路の方向に垂直に垂直抗力が作用しても前記静止位置にあり、
前記ゲート体は断面がボート状の外形を有し、前記先端部の断面は三角形の斜辺を形成しており、前記先端部の下側斜辺部は前記戻し力を受けることが可能であり上側斜辺部は前記送り力を受けることが可能であり、
前記案内路のほぼ平行な第１直線部と前記第１直線部から上方に湾曲した第２直線部とを有する、上側レール及び下側レールが前記案内路に沿って設けられ、
前記上側斜辺部の延長部の上側端は前記上側レールに装着され、前記下側斜辺部の延長部の下側端は前記下側レールに装着されており、
前記ゲート体は、前記戻し力を受けるときに前記案内路の開口幅が前記戻り方向開口幅となるように、前記上側レール及び前記下側レールに沿って移動可能であり、
前記ゲート体は、前記カッター側から前記投入口側へ作用する戻し力を受けないときに前記案内路の開口幅が前記送り方向開口幅となるように、前記ゲート体が前記案内路へ進退するように形成された開口部の下端部に前記下側斜辺部が当接して、前記静止位置にあり、
前記ゲート体は、前記先端部へ前記案内路の方向に垂直に垂直抗力が作用しても前記静止位置にあるように、前記上側レール及び前記下側レールに装着されている
ことを特徴とする紙葉細断装置。
【請求項３】
紙葉類を投入口から投入し前記投入口に続く案内路を経て回転するカッターに送り細断する紙葉細断装置において、
前記投入口側から前記カッター側へ紙葉類が通過可能な開口幅である前記案内路の送り方向開口幅が、前記カッター側から前記投入口側へ紙葉類が通過可能な開口幅である前記案内路の戻り方向開口幅より狭くなるように、前記案内路の開口幅を紙葉類の移動方向に応じて切り換える開口幅切り換え手段を備え、
前記開口幅切り換え手段は、
前記案内路へ先端部が出入可能なゲート体を有し、
前記ゲート体は、
前記カッター側から前記投入口側へ作用する戻し力を受けないときに前記案内路の開口幅が前記送り方向開口幅となるように静止位置にあり、前記戻し力を受けるときに前記案内路の開口幅が前記戻り方向開口幅となるように移動可能であり、前記投入口側から前記カッター側へ作用する送り力を受けても前記静止位置にあるとともに前記先端部へ前記案内路の方向に垂直に垂直抗力が作用しても前記静止位置にあり、
前記ゲート体は断面が直線部と前記先端部とを有する逆Ｌ字状の外形を有し、前記先端部の断面は三角形の斜辺を形成しており、前記先端部の下側斜辺部は前記戻し力を受けることが可能であり上側斜辺部は前記送り力を受けることが可能であり、
前記案内路を形成する上面パネルの上方に前記ゲート体の前記直線部が傾斜移動自在に貫通する孔が形成された支持板が設けられ、前記支持板の上方に角部を有するＬ字体状のレールが設けられ、
前記直線部の上端部は、外力が作用しないときは前記レールの前記角部に当接しており、前記送り力が作用しても移動することがなく、前記戻り力が作用したときは前記レールの前記角部の上部分に沿って移動可能であり、前記上部分に沿って移動して前記上部分から外れると前記直線部は斜め上方に移動し前記先端部は前記案内路から退出可能であり、
前記ゲート体は、前記先端部へ前記案内路の方向に垂直に垂直抗力が作用しても前記静止位置にあるように、前記角部に当接する
ことを特徴とする紙葉細断装置。
【発明の詳細な説明】
【０００１】
【発明の属する技術分野】
本発明は、廃棄書類等を細断する紙葉細断装置（シュレッダ）に係り、特に紙葉類を投入する投入口に続く案内路の開口幅に関する。
【０００２】
【従来の技術】
紙葉細断装置は、廃棄する書類等の機密性を保持するため、この書類等を細断する装置である。一般的な紙葉細断装置では、書類等を投入口から投入し投入口に続く案内路を経て回転するカッターに送る。回転するカッターでは互いに噛合する２個の回転刃の間に紙葉類を通過させてこの紙葉類を数ミリメートル幅の線状に縦方向に細断する。また、紙葉細細断装置によっては、縦方向に細断されたものは、回転するスパイラルカッタと固定されたフラットカッタとによって、さらに横方向に細断される。
【０００３】
このような紙葉細細断装置において、投入口に続く案内路の開口幅は次のような複数の要件を満たすことが好ましい。
【０００４】
（１）使用者の手指等が誤ってカッターへ触れる恐れがない。
【０００５】
（２）細断可能な最大枚数あるいは厚さの紙葉類を同時に供給可能であるとともに、その最大枚数を越えて過度に紙葉類がカッターへ供給されることを制限する。
【０００６】
（３）カッターへ供給されて部分的に細断されかけた紙葉類を、逆方向に戻し案内路１３０を経て投入口２から安全にかつ容易に排出する。
【０００７】
上記（１）の要件によれば、開口幅を必要以上に広くせずに狭くする必要がある。
【０００８】
上記（２）によれば、カッターや駆動モータ等の能力に対応して定まる細断可能な最大枚数の厚さを過度に越えない適当な開口幅に設定する必要がある。
【０００９】
部分的に細断された紙葉類は細断前の厚さに比べてより厚くなっているので、容易に排出できるためには、上記（３）の要件によれば、開口幅をできるだけ広くする必要がある。
【００１０】
このように、上記の（１）乃至（３）の複数の要件は、互いに背反する要件である。
【００１１】
【発明が解決しようとする課題】
しかしながら、図９に示すように、投入口２に続く従来の案内路３０は、開口幅ｄが投入口側からカッター側に至るまで一定の幅に形成されていた。
【００１２】
このため、従来は、上記の（１）乃至（３）の要件をバランスよく部分的に満たすように設定されていただけであり、（１）乃至（３）の互いに背反する各々の要件を個別的に十分に満たすことはできなかった。
【００１３】
これに対して、図４，図７及び図８に示すように、先端部が「く」の字状のゲートレバー１４１を備える開口幅切り換え手段１４０によって、案内路３０の開口幅ｄを紙葉類の移動方向Ａ，Ｂに応じて切り換えることが提案されている（特願平１１−１８５００８）。ここでは、ゲートレバー１４１は、断面「く」の字状の投入口２側の部分である送り側レバー部１４１ｂと、断面「く」の字状のカッタローラ３，４側の部分である戻し側レバー部１４１ａと、紙葉類の細断可能な定状的なゲートレバー１４０の位置を定める送り側レバー部１４１ｂの先端部に位置する停止部１４１ｃを有する。上面パネル３１に形成された開口部３１ａの下端近傍にはゲートレバー１４１が回動するときの中心となる支点１４２が形成されている。ゲートレバー１４１は支点１４２の回りに反時計方向に回動することに逆らう方向にバネで付勢されている。ゲートレバー１４１は支点１４２の回りに反時計方向に回動して開口部３１ａを介して案内路３０内へ突出可能であり、支点１４２の回りに時計方向に回動し開口部３１ａを介して案内路３０から退却可能である。
【００１４】
ゲートレバー１４１は支点１４２の回りに反時計方向に回動するようにバネ付勢されているので、紙葉細断装置は定常的には紙葉類の細断が可能な図７に示す状態にある。この状態では、ゲートレバー１４１の停止部４１ｃが開口部３１ａの上端部に当たり停止した状態に維持されている。図７に示す状態では、紙葉類５０が投入口２側からカッタローラ３、４側へ送られると、紙葉類５０の先端はゲートレバー１４１の送り側レバー部１４１ｂに当たり、送り側レバー部１４１ｂに送り力を作用するが、送り力によって送り側レバー部１４１ｂに作用する回転モーメントが反時計方向であるとともに停止部１４１ｃが開口部３１ａの上端に停止されているために、ゲートレバー１４１は支点１４２の回りに時計方向にも反時計方向にも回動することない。
【００１５】
また、ゲートレバー１４１が図８に示す状態にある場合には、紙葉類５０がカッタローラ３、４側から投入口２側へ送られると、紙葉類５０の先端はゲートレバー１４１の戻り側レバー部１４１ａに当たり、戻り側レバー部１４１ａに戻り力を作用し、戻り側レバー部１４１ａに支点１４２の回りに回転するモーメントを与え、ゲートレバー１４１は支点１４２の回りに時計方向に回動する。
【００１６】
しかしながら、図７及び図８に示す例にあっては、図４に示すようにゲートレバー１４１に垂直抗力Ｎが作用するとゲートレバー１４１は開口幅が拡がる方向に動き得る。このため、図７に示す状態でゲートレバー１４１に送り力が作用した場合に、送り力の中に含まれ得る垂直成分によって開口幅が拡がる可能性がある、という問題がある。
【００１７】
そこで、本発明の目的は、上記従来技術の有する問題を解消し、投入口に続く案内路の開口幅に課せられる複数の要件を個別的に満たすことが可能であり、案内路の開口幅を紙葉類の移動方向に応じて確実に切り換えることが可能な紙葉細断装置を提供することである。
【００１８】
【課題を解決するための手段】
上記目的を達成するために、本願発明の紙葉細断装置は、紙葉類を投入口から投入し前記投入口に続く案内路を経て回転するカッターに送り細断する紙葉細断装置において、前記投入口側から前記カッター側へ紙葉類が通過可能な開口幅である前記案内路の送り方向開口幅が、前記カッター側から前記投入口側へ紙葉類が通過可能な開口幅である前記案内路の戻り方向開口幅より狭くなるように、前記案内路の開口幅を紙葉類の移動方向に応じて切り換える開口幅切り換え手段を備え、前記開口幅切り換え手段は、前記案内路へ先端部が出入可能なゲート体を有し、前記ゲート体は、前記カッター側から前記投入口側へ作用する戻し力を受けないときに前記案内路の開口幅が前記送り方向開口幅となるように静止位置にあり、前記戻し力を受けるときに前記案内路の開口幅が前記戻り方向開口幅となるように移動可能であり、前記投入口側から前記カッター側へ作用する送り力を受けても前記静止位置にあるとともに前記先端部へ前記案内路の方向に垂直に垂直抗力が作用しても前記静止位置にある、ことを特徴とする。
【００１９】
前記ゲート体は、前記戻し力を受けるときに前記案内路の開口幅が前記戻り方向開口幅となるように旋回軸の回りに旋回可能である。
【００２０】
前記旋回軸は、前記先端部へ作用する前記垂直抗力が前記ゲート体を旋回させる回転モーメントを生じさせない位置に設けられていることを特徴とする。
【００２１】
前記ゲート体が前記投入口側から前記カッター側へ作用する送り力を受けても前記静止位置にあるように、前記ゲート体に当接する止め部が設けられていることを特徴とする。
【００２２】
前記ゲート体は、前記戻し力を受けるときに前記案内路の開口幅が前記戻り方向開口幅となるように、湾曲したレールに沿って移動可能に前記レールに装着されていることを特徴とする。
【００２３】
前記ゲート体は、前記先端部へ前記案内路の方向に垂直に垂直抗力が作用しても前記静止位置にあるように、前記レールに装着されていることを特徴とする。
【００２４】
前記ゲート体は角部と自由端を有するレールに沿って移動可能であり、
前記ゲート体は、前記戻し力を受けるときに前記案内路の開口幅が前記戻り方向開口幅となるように、前記自由端を越えて移動することを特徴とする。
【００２５】
前記ゲート体は、前記先端部へ前記案内路の方向に垂直に垂直抗力が作用しても前記静止位置にあるように、前記角部に当接することを特徴とする。
【００２６】
上述の発明において、前記投入口側から前記カッター側へ紙葉類が通過可能な開口幅である前記案内路の送り方向開口幅が、前記カッター側から前記投入口側へ紙葉類が通過可能な開口幅である前記案内路の戻り方向開口幅より狭く形成されているので、案内路の開口幅に課せられる複数の要件を個別的に満たすことが可能になる。
【００２７】
案内路の開口幅は、開口幅切り換え手段によって、前記送り方向開口幅と前記戻り方向開口幅との間で、前記案内路の開口幅を紙葉類の移動方向に応じて切り換えられる。
【００２８】
前記投入口側から前記カッター側へ作用する送り力を受けても前記静止位置にあるとともに前記先端部へ前記案内路の方向に垂直に垂直抗力が作用しても前記静止位置にあるので、開口幅が容易に拡がる可能性をなくすることができる。
【００２９】
【発明の実施の形態】
以下に図面を参照して、本発明に係る紙葉細断装置の実施の形態について説明する。
【００３０】
図１に示すように、紙葉細断装置本体１の上面には細断する紙葉類を投入する投入口２が設けられており、投入口２には案内路３０が続いている。案内路３０の下端の斜め下方には２個のカッタローラ３，４が噛合するように設けられている。
【００３１】
投入口２から投入された紙葉類は案内路３０を経てカッタローラ３，４へ送られる。図１０に示すように、カッタローラ３，４は回転軸５，６に等間隔に円盤状のカッタ刃が取り付けられたものである。またこれらカッタローラ３，４の噛合部の下方位置には横方向カッタ装置７が設けられている。この横方向カッタ装置７は螺旋状の刃を有するスパイラルカッタ８とフラットカッタ９とから構成されている。図１２に示すように、スパイラルカッタ８は軸１０に螺旋状のカッタ刃１１を設けたものである。また、フラットカッタ９は先端部に例えば断面三角形状等の形状のフラットカッタ刃１９を有している。
【００３２】
カッタローラ３，４とスパイラルカッタ８はモータ１３によって駆動回転される。モータ１３にはギア１２が同軸に取り付けられており、モータ１３による駆動力はギア１２によってカッタローラ３と同軸に配設されたギア１４へ伝達されカッタローラ３，４が駆動される。また、ギア１２の回転はスパイラルカッタ８の回転軸１０と同軸に配設されたギア１５に伝達され、スパイラルカッタ８が駆動される。モータ１３は数百ワット程度の出力を有する。
【００３３】
投入口２から紙葉類を投入すると入紙センサがこれを検出してモータ１３が自動的に起動される。これによりカッタローラ３，４およびスパイラルカッタ８が回転する。投入された紙葉類はカッタローラ３，４によって、例えば幅約３ｍｍ〜６ｍｍの線状に縦方向に細断される。線状に細断された紙葉類は横方向カッタ装置７内部に導かれ、さらに横方向に短く断裁される。断裁長さはスパイラルカッタ８の回転数によって規定されるが約１０ｍｍ〜３５ｍｍ程度である。このように細かく断裁された紙葉類（細断屑）は、装置下部に設けられた屑容器１６に落下する。
【００３４】
上述の紙葉細断装置において、本発明では、案内路３０の近傍には、案内路３０の開口幅ｄを紙葉類の移動方向Ａ，Ｂに応じて切り換えるための開口幅切り換え手段４０が設けられている。ここで、移動方向Ａは投入口２側からカッタローラ３，４側へ紙葉類が移動する方向であり、移動方向Ｂはカッタローラ３，４側から投入口２側へ紙葉類が移動する方向である。
【００３５】
以下に、図１乃至図３を参照して第１の実施形態の開口幅切り換え手段４０について詳細に説明する。
【００３６】
案内路３０は、幅ｄ２の間隔をおいて互い平行に配設された上面パネル３１と下面パネル３２とで構成されている。上面パネル３１には開口部３１ａが形成されている。
【００３７】
開口幅切り換え手段４０は、案内路３０の開口幅ｄを紙葉類の移動方向Ａ，Ｂに応じて切り換えるためのゲート体４１を備えている。ゲート体４１は開口部３１ａから案内路３０内に出入り可能な先端部４２を有する。ゲート体４１の全体の断面は５角形の外形を有し、先端部４２の断面は二等辺三角形の斜辺を形成している。先端部４２の下側斜辺部４２ａは、カッター側から投入口側へ紙葉類５０が戻されるときに戻し力を受ける部分であり、上側斜辺部４２ｂは、投入口側からカッター側へ紙葉類５０が送られるときに送り力を受け得る部分である。
【００３８】
ゲート体４１の近傍には案内路３０の方向と直交する方向（図２の紙面に垂直）に旋回軸４３が設けられている。ゲート体４１は旋回軸４３の回りに旋回可能に支持されている。
【００３９】
ゲート体４１の上部には腕部４１ａが延設されている。開口部３１ａの上側の上面パネル３１には反時計方向に旋回する腕部４１ａに当接可能な第１止め部４４が形成されている。腕部４１ａが第１止め部４４に当接することによって、ゲート体４１のさらなる反時計方向の旋回が禁止されゲート体の静止位置が設定される。
【００４０】
ゲート体４１の外側近傍には腕部４１ａに当接可能な位置に第２止め部４５が設けられている。ゲート体４１は戻り力を受けて旋回軸４３の回りに時計方向に旋回するときに、腕部４１ａが第２止め部４５に当接しゲート体４１はこれ以上旋回しないように停止する。なお、ゲート体４１が時計方向に旋回したときに上面パネル３１の下側裏面３１ｂに当接することも可能であるので、下側裏面３１ｂを第２止め部４５の代わりにすることも可能である。
ゲート体４１の重心Ｇは旋回軸４３の軸芯位置よりも下方に位置し、ゲート体４１は自重によって常に反時計方向の回転モーメントを受けるようになっており、戻り力を受けないときには、腕部４１ａが第１止め部４４に当接した静止位置にいる。なお、バネ部材等でゲート体４１に反時計方向の回転モーメントが付加されるようにしてもよい。この静止位置では、先端部４２が案内路３０内に突出しており、先端部４２の先端と下面パネル３２との間の距離として送り方向開口幅ｄ１が形成される。
【００４１】
カッター３、４側から投入口２側へ紙葉類５０が戻され、先端部４２の下側斜辺部４２ａが戻し力を受けると、ゲート体４１は時計方向に旋回し、先端部４２は案内路３０から退出し、腕部４１ａは第２止め部４５に当接し停止する。腕部４１ａは第２止め部４５に当接すると、案内路３０の開口幅は全開の開口幅である戻り方向開口幅ｄ２となる。
【００４２】
次に、図３を参照して、ゲート体４１の動きについてさらに詳細に説明する。
【００４３】
先端部４２の先端と重心Ｇとを結ぶ線の方向をＴとすると、方向Ｔは案内路３０の方向にほぼ直交する方向にある。そして、本願発明においては、旋回軸４３の軸芯位置は方向Ｔよりも上方に位置する。これによって、ゲート体４１に案内路３０の方向に直交する方向に抗力Ｎが作用した場合には、その抗力Ｎはゲート体４１を反時計方向に旋回させる回転モーメントを与える。腕部４１ａが第１止め部４４に当接した状態にあって静止位置にあるゲート体４１は、抗力Ｎによる回転モーメントを受けても、腕部４１ａが第１止め部４４に当接しているので、旋回することなく静止位置のままでいる。
【００４４】
図３（ａ）は、投入口２側からカッター３、４側へ紙葉類５０が送られ、先端部４２の上側斜辺部４２ｂに送り力が作用する場合を示す。送り力は近似的に案内路３０の方向に直交する方向の抗力Ｎと案内路３０のカッター側方向に形成される摩擦力Ｒのベクトル和Ｎ＋Ｒとを考えることができる。上述したように、単独に抗力Ｎが作用したときにゲート体４１を反時計方向に旋回させる回転モーメントを与えるのであるから、ベクトル和Ｎ＋Ｒは、確実にゲート体４１を反時計方向に旋回させる回転モーメントを与える。この結果、投入口側からカッター側へ紙葉類５０が送られ先端部４２の上側斜辺部４２ｂに送り力が作用する場合には、ゲート体４１は旋回することなく静止位置の確実に止まっている。
【００４５】
図３（ｂ）は、カッター３、４側から投入口２側へ紙葉類５０が戻され、先端部４２の下側斜辺部４２ａに戻し力が作用する場合を示す。戻し力は案内路３０の方向に直交する方向の抗力Ｎと案内路３０の投入口側方向に形成される摩擦力Ｓとのベクトル和Ｎ＋Ｓに近似的に等しいと考えることができる。ここで、案内路３０の開口幅を戻り方向開口幅ｄ２にするためには、ベクトル和Ｎ＋Ｓはゲート体４１を時計方向に旋回させる回転モーメントを与える方向に作用する必要がある。このことは、旋回軸４３の軸芯位置を方向Ｔよりも図２において左方に位置することを前提にし、旋回軸４３の軸芯位置を方向Ｔを示す線から近い位置にすることによって可能である。そして、この場合、ベクトル和Ｎ＋Ｓの方向は旋回軸４３の軸芯位置に対し反時計方向の側にあることになり、ベクトル和Ｎ＋Ｓはゲート体４１に時計方向に旋回させる回転モーメントを与え、腕部４１ａが第２止め部４５に当接するまでゲート体４１は旋回する。
【００４６】
次に図５を参照して、本発明の第２の実施形態について説明する。
【００４７】
ゲート体６１は開口部３１ａから案内路３０内に出入り可能な先端部６２を有する。ゲート体６１の全体の断面はボート状の外形を有し、先端部６２の断面は二等辺三角形の斜辺を形成しており、先端部６２の下側斜辺部６２ａは、カッター側から投入口側へ紙葉類５０が戻されるときに戻し力を受ける部分であり、上側斜辺部６２ｂは、投入口側からカッター側から紙葉類５０が送られるときに送り力を受け得る部分である。ゲート体６１の上側端には一対のベアリング６３が設けられており、ゲート体６１の下側端には一対のベアリング６４が設けられている。一対のベアリング６３は湾曲したレール６５を両側から挟むように装着されており、一対のベアリング６４は湾曲したレール６６を両側から挟むように装着されている。レール６５はレール６６よりもより投入口側に設けられている。レール６５は案内路３０とほぼ平行な直線部６５ａと、直線部６５ａから上方に湾曲して形成された直線部６５ｂとから構成されている。同様に、レール６６は案内路３０とほぼ平行な直線部６６ａと、直線部６６ａから上方に湾曲して形成された直線部６６ｂとから構成されている。直線部６５ａと直線部６６ａとはほぼ平行な位置関係にあり、直線部６５ｂと直線部６６ｂとはほぼ平行な位置関係にある。
【００４８】
ゲート体６１は自重によってあるいは図示しない付勢力を受けて、外力を受けない場合には最下位に位置し静止位置をとる。この静止位置では、ゲート体６１の下部が下側にある面パネル３１の端部に当接し、ベアリング６３は直線部６５ａを挟み込みベアリング６４は直線部６６ａを挟み込み、先端部６２が案内路３０内に突出しており、先端部６２の先端と下面パネル３２との間の距離として送り方向開口幅ｄ１が形成されている。
【００４９】
カッター３、４側から投入口２側へ紙葉類５０が戻され先端部６２の下側斜辺部６２ａが戻し力を受けると、ゲート体６１はレール６５，６６によって案内され上方へ移動し、レール６５の上端に設けられた止め部６８にベアリング６３が当接して停止し、案内路３０の開口幅は全開の開口幅である戻り方向開口幅ｄ２となる。
【００５０】
本実施の形態においては、静止状態にあり送り方向開口幅ｄ１を形成するゲート体６１に対し案内路３０の方向に垂直に抗力Ｎが作用しても、ベアリング６３，６４は各々直線部６５ａ，６６ａを挟み込む位置にあるので、ゲート体６１は移動しない。このため、送り方向開口幅ｄ１が形成され静止状態にあるゲート体６１の上側斜辺部６２ｂに対し紙葉類５０によって送り力が作用したとしても、ゲート体６１の移動は確実に禁止され、開口幅が送り方向開口幅ｄ１から不用意に拡がることは確実に防止することができる。
【００５１】
次に図６を参照して、本発明の第３の実施形態について説明する。
【００５２】
ゲート体７１は開口部３１ａから案内路３０内に出入り可能な先端部７２を有する。ゲート体７１の全体の断面は逆Ｌ字状の外形を有し、先端部７２の断面は二等辺三角形の斜辺を形成しており、先端部７２の下側斜辺部７２ａは、カッター側から投入口側へ紙葉類５０が戻されるときに戻し力を受ける部分であり、上側斜辺部７２ｂは、投入口側からカッター側から紙葉類５０が送られるときに送り力を受け得る部分である。
【００５３】
上面パネル３１の上方には支持板７３が設けられ、支持板７３にはゲート体７１の直線部７１ａが傾斜移動自在に貫通する孔７３ａが形成されている。支持板７３の上方にはＬ字体を１８０度回転させた形状のレール７４が設けられている。直線部７１ａの上端にはベアリング７２が取り付けられている。ベアリング７８は、外力が作用しないときはレール７４の角部７４ｂに当接しており、送り力等の外力が作用してもこの位置から左方向へ移動することはなく、また、戻り力が作用したときはレール７４の上部分７４ａに沿って右方向に移動可能である。
【００５４】
先端部７２の下側斜辺部７２ａに戻り力が作用すると、直線部７１ａは時計方向に傾斜するとともに、ベアリング７２がレール７４の上部分７４ａに沿って案内され、ベアリング７８が上部分７４ａから外れると直線部７１ａは斜め上方に移動し図６の点線で示すように、先端部７２は案内路３０から退出し、案内路３０の開口幅は全開の開口幅である戻り方向開口幅ｄ２となる。
【００５５】
戻り力が解除されると、ゲート体７１は自重によって下降し、図４に実線で示す静止位置に戻る。この静止位置では、先端部７２が案内路３０内に突出しており、先端部７２の先端と下面パネル３２との間の距離として送り方向開口幅ｄ１が形成されている。
【００５６】
本実施の形態においては、静止状態にあるゲート体７１に対し案内路３０の方向に垂直に抗力Ｎが作用しても、直線部７１ａの上端のベアリング７８はレール７４の角部７４ｂに当接しておりこの位置から左方向へ移動するはない。したがって、送り方向開口幅ｄ１が形成され静止状態にあるゲート体７１の上側斜辺部６２ｂに対し紙葉類５０によって送り力が作用したとしても、ゲート体７１の移動は確実に禁止され、開口幅が送り方向開口幅ｄ１から不用意に拡がることは確実に防止することができる。
【００５７】
以上説明したように、本発明の実施の態様によれば、案内路３０の開口幅を紙葉類５０の移動方向に応じて変更し、送り方向開口幅ｄ１を細断可能な最大枚数の紙葉類の厚さより狭くならないように例えば細断可能な最大枚数の紙葉類の厚さにほぼ等しく設定することにより、過度に紙葉類５０がカッタローラ３、４へ供給されることを制限することができ、また、使用者の手指等が誤ってカッタローラ３、４へ触れる恐れをなくすることができ、また、紙葉類５０を投入口２側へ戻す場合には案内路３０の開口幅を送り方向開口幅ｄ１より広くし戻り方向開口幅ｄ２に変更できるようにしたので、一部細断によって厚みを増した紙葉類５０を容易にかつ安全に投入口２側へ戻すことができる。
【００５８】
また、ゲート体４１等は投入口２側からカッター３，４側へ作用する送り力を受け、先端部４２等へ案内路３０の方向に垂直に垂直抗力Ｎが作用しても静止位置にあるので、ゲート体４１等が送り力を受けることによって開口幅が拡がるということはない。
【００５９】
なお、上述に説明において、ゲートレバー４１等が突出または退却するための開口部３１ａが上面パネル３１に形成した場合を示したが、ゲートレバー４１等が突出または退却するための開口部を下面パネル３２に形成し、ゲートレバー４１等を下面パネル３２の下方に設けることも可能である。
【００６０】
【発明の効果】
以上のように、本発明の構成によれば、投入口側からカッター側へ紙葉類が通過可能な開口幅である案内路の送り方向開口幅が、カッター側から投入口側へ紙葉類が通過可能な開口幅である案内路の戻り方向開口幅より狭く形成されているので、案内路の開口幅に課せられる複数の要件を個別的に満たすことができ、使用者の手指等が誤ってカッターへ触れる恐れがなくなり、細断可能な最大枚数あるいは厚さを越えて過度に紙葉類がカッターへ供給されることを制限でき、カッターへ供給されて部分的に細断されかけた紙葉類を投入口から安全にかつ容易に排出することができる。
【図面の簡単な説明】
【図１】本発明に係る紙葉細断装置の開口幅切り換え手段の一実施形態を示す断面図。
【図２】図１に示す一部を拡大して示す図。
【図３】図１に示す開口幅切り換え手段を構成するゲート体の動作状態を説明する断面図であり、（ａ）は送り力が作用した場合を示し、（ｂ）は戻り力が作用した場合を示す。
【図４】図７及び図８に対応する他の発明における開口幅切り換え手段を構成するゲートレバーに垂直抗力が作用する場合を説明する断面図。
【図５】本発明に係る紙葉細断装置の開口幅切り換え手段の他の実施形態を示す断面図。
【図６】本発明に係る紙葉細断装置の開口幅切り換え手段の他の実施形態を示す断面図。
【図７】他の発明における開口幅切り換え手段を構成するゲートレバーに垂直抗力が作用する場合を説明する断面図。
【図８】他の発明における開口幅切り換え手段を構成するゲートレバーの動作状態を説明する断面図。
【図９】従来の紙葉細断装置の案内路の近傍を示す断面図。
【図１０】紙葉細断装置の上内部を示す図。
【図１１】一対のカッタローラを示す図。
【図１２】スパイラルカッタを示す図。
【符号の説明】
１  紙葉細断装置本体
２  投入口
３、４  カッタローラ
３０  案内路
３１  上面パネル
３２  下面パネル
４０、６０、７０  開口幅切り換え手段
４１、６１、７１  ゲート体
４１ａ  下側斜辺部
４１ｂ  上側斜辺部
４３  旋回軸
５０  紙葉類
ｄ１  送り方向開口幅
ｄ２  戻り方向開口幅
【図１】
0004738570.tif 000002
【図２】
0004738570.tif 000003
【図３】
0004738570.tif 000004
【図４】
0004738570.tif 000005
【図５】
0004738570.tif 000006
【図６】
0004738570.tif 000007
【図７】
0004738570.tif 000008
【図８】
0004738570.tif 000009
【図９】
0004738570.tif 000010
【図１０】
0004738570.tif 000011
【図１１】
0004738570.tif 000012
【図１２】
0004738570.tif 000013